(57)【要約】【課題】変換キー等を別途有する必要が無く、チップの紛失や脱落が無いキー構造を提供する。【解決手段】キー構造において、溝３５が鍵本体１５の少なくとも表裏いずれか一方の面に形成されているキー１１と、鍵本体１５の鍵基端２１に接続して鍵操作時に鍵穴よりも外側に出る把持部１７と、一方の面３７の溝３５に収容され杆基端部４９が把持部１７に配置される杆部４３と、杆部４３の杆先端部５１を屈曲して形成され溝３５への杆部４３の装着で鍵本体１５の鍵先端部４１よりも突出する凸部４５と、を設けた。凸部４５は、フック状に形成され、フック先端部５３が他方の面の前記溝３５に係止されることが好ましい。杆基端部４９には係着部４７が設けられ、係着部４７は把持部１７に着脱自在であることが好ましい。【選択図】  図１
2012144886.tif 000002
【特許請求の範囲】
【請求項１】
溝が鍵本体の少なくとも表裏いずれか一方の面に形成されているキーと、
前記鍵本体の鍵基端に接続して鍵操作時に鍵穴よりも外側に出る把持部と、
一方の面の前記溝に収容され杆基端部が前記把持部に配置される杆部と、
前記杆部の杆先端部を屈曲して形成され前記溝への該杆部の装着で前記鍵本体の鍵先端部よりも突出する凸部と、
を具備することを特徴とするキー構造。
【請求項２】
請求項１記載のキー構造であって、
前記凸部は、フック状に形成され、フック先端部が他方の面に係止されることを特徴とするキー構造。
【請求項３】
請求項１又は２記載のキー構造であって、
前記杆基端部に係着部が設けられ該係着部が前記把持部に着脱自在であることを特徴とするキー構造。
【請求項４】
請求項３記載のキー構造であって、
前記係着部は、前記把持部とともに摘まれることを特徴とするキー構造。
【請求項５】
請求項３又は４記載のキー構造であって、
前記把持部には、
前記係着部と係合する係合凹部と、
前記係合凹部と前記溝とを連通して前記杆部を収容する接続溝と、が形成されていることを特徴とするキー構造。
【請求項６】
請求項３，４，５のいずれか１つに記載のキー構造であって、
前記係着部は、前記把持部の把持表面よりも突出し、且つ鍵先端部に向かって徐々に高くなる滑止面を有することを特徴とするキー構造。
【発明の詳細な説明】
【技術分野】
【０００１】
本発明は、シリンダー錠に用いられるキー構造に関する。
【背景技術】
【０００２】
シリンダー錠の交換や、シリンダー錠のタンブラの位置変更を行う構造では、シリンダーの最奥にあるテールピースに対して押動を行って、変更が可能となる構造がある。特許文献１の可変レバータンブラ錠や、特許文献２の着脱可能なシリンダー錠では、押動を行うために、通常の施解錠操作で使う合鍵よりも長尺な専用のキーを用意する。
例えば、特許文献１の可変レバータンブラ錠では、合鍵の他に先端が長い変換キーを有する。長いキーを挿入し操作すると、タンブラ組み合わせの変更が可能となっている。また、特許文献２の着脱可能なシリンダー錠では、先端の長い着脱用鍵を別途有する。長いキーを挿入すると、内筒がキーととともに抜け、交換が可能となる仕組みになっている。そして、このような先端の長い鍵を容易に得るものとして、特許文献３のシリンダー錠の鍵では、合鍵の先端にチップを取り付け、鍵の長さを長くして、その変換操作を可能としている。
【先行技術文献】
【特許文献】
【０００３】
【特許文献１】特開２００６−１２４９９５号公報
【特許文献２】特公平６−７４６８４号公報
【特許文献３】特開２００８−１２１２０２号公報
【発明の概要】
【発明が解決しようとする課題】
【０００４】
しかしながら、先端が長い変換キーや着脱用鍵を別途有するのは鍵管理が煩雑となって実用的でない。また、合鍵の先端にチップを取り付ける構造のものでは、チップを保管中或いは携帯中に紛失したり、使用中にチップが脱落、シリンダー内で脱落するなどし、鍵穴内で脱落し内部から取り出しできない場合には、シリンダー錠が使用不能となったり、変換が不可能となったりする虞があった。
【０００５】
本発明は上記状況に鑑みてなされたもので、その目的は、変換キー等を別途有する必要が無く、チップの紛失や脱落が無いキー構造を提供することにある。
【課題を解決するための手段】
【０００６】
次に、上記の課題を解決するための手段を、実施の形態に対応する図面を参照して説明する。
本発明の請求項１記載のキー構造は、溝３５が鍵本体１５の少なくとも表裏いずれか一方の面に形成されているキー１１と、
前記鍵本体１５の鍵基端２１に接続して鍵操作時に鍵穴２３よりも外側に出る把持部１７と、
一方の面３７の前記溝３５に収容され杆基端部４９が前記把持部１７に配置される杆部４３と、
前記杆部４３の杆先端部５１を屈曲して形成され前記溝３５への該杆部４３の装着で前記鍵本体１５の鍵先端部４１よりも突出する凸部４５と、
を具備することを特徴とする。
【０００７】
このキー構造では、キー１１の一方の面３７の溝３５に杆部４３が収容されると、杆先端部５１が凸部４５となって、鍵先端部４１から突出し、その突出分、鍵本体１５が長くなり、鍵穴２３の奥に設けられている通常時には操作されない錠変換機構６３が操作可能となる。凸部４５が、杆先端部５１を屈曲して形成され、凸部４５と一体の杆部４３が溝３５に装着されることで、凸部４５のみ分離することがない。
【０００８】
請求項２記載のキー構造は、請求項１記載のキー構造であって、
前記凸部４５は、フック状に形成され、フック先端部５３が他方の面３９に係止されることを特徴とする。
【０００９】
このキー構造では、一方の面３７の溝３５に装着された杆部４３のフック先端部５３が他方の面３９に係止することで、キー自体への装着状態が確実なものとなるとともに、コ字状に曲がった凸部中央部５５が偏芯することなくキー１１の回転中心を通ることになる。
【００１０】
請求項３記載のキー構造は、請求項１又は２記載のキー構造であって、
前記杆基端部４９に係着部４７が設けられ該係着部４７が前記把持部１７に着脱自在であることを特徴とする。
【００１１】
このキー構造では、例えばピアノ線等の線材からなる杆部４３に係着部４７が固定され、この係着部４７が把持部１７に着脱自在となることで、単体では把持しにくい杆部４３の取り扱いが容易となる。
【００１２】
請求項４記載のキー構造は、請求項３記載のキー構造であって、
前記係着部４７は、前記把持部１７とともに摘まれることを特徴とする。
【００１３】
このキー構造では、把持表面６１に係着部４７が装着されることで、係着部４７と把持部１７とが一体に、すなわち、杆部４３及び凸部４５とが一体に操作可能となる。
【００１４】
請求項５記載のキー構造は、請求項３又は４記載のキー構造であって、
前記把持部１７には、
前記係着部４７と係合する係合凹部３３と、
前記係合凹部３３と前記溝３５とを連通して前記杆部４３を収容する接続溝６５と、が形成されていることを特徴とする。
【００１５】
このキー構造では、杆部４３が溝３５と接続溝６５とに収容され、係着部４７が把持部１７の係合凹部３３に装着されることで、変換用アダプター１３における鍵本体１５からの突出部分が係着部４７のみとなる。
【００１６】
請求項６記載のキー構造は、請求項３，４，５のいずれか１つに記載のキー構造であって、
前記係着部４７は、前記把持部１７の把持表面６１よりも突出し、且つ鍵先端部４１に向かって徐々に高くなる滑止面６７を有することを特徴とする。
【００１７】
このキー構造では、把持部１７を掴んで鍵本体１５を鍵穴２３へ挿入し、さらに、奥の錠変換機構６３を押し回しする際の反力が確実に受け止められるようになる。
【発明の効果】
【００１８】
本発明に係る請求項１記載のキー構造によれば、キーの一方の面の溝に杆部が収容されて、杆先端部が凸部となって鍵先端部から突出するとともに、杆基端部が把持部に配置されることで、突出した凸部で鍵本体部が長くなり、鍵穴奥の錠変換機構部の操作が可能となる。そして凸部は杆部と一体であり、溝に装着されるので、従来のような鍵先端に取り付けるチップの紛失や脱落などの問題点を防止して、変換キー等を別途必要とせずにシリンダー錠の交換やタンブラ位置変更などの操作を可能としている。
【００１９】
請求項２記載のキー構造によれば、一方の面の溝に装着された杆部のフック先端部が、他方の面に係止することで、キー自体への装着状態が確実なものとなるとともに、偏芯することなく凸部が鍵本体の回転中心を通ることになり、凸部を回転対称で且つ高強度に配設できる。
【００２０】
請求項３記載のキー構造によれば、杆部に固定された係着部を把持部に着脱自在とすることで、杆部をキーに対して容易に着脱できる。また、係着部を備えることで、単体では把持しにくい杆部の取り扱いが容易となる。
【００２１】
請求項４記載のキー構造によれば、操作時には把持部に装着された係着部が摘まれるので、杆部の離脱を防止しながら、凸部による錠変換機構への操作入力を確実にできる。
【００２２】
請求項５記載のキー構造によれば、杆部が溝と接続溝とに収容され、すなわち、杆部と係着部とを接続する杆部部位が接続溝に入り、係着部が把持部の係合凹部に装着されることで、鍵本体の表裏面からの突出部分が係着部のみとなり、鍵穴への挿入には支障がなく、また、見栄えよくなる。
【００２３】
請求項６記載のキー構造によれば、係着部が把持表面から浮上することで、係着部へ摘み力が容易に印加でき、把持部の操作性、係着部の保持性を高めることができる。
【図面の簡単な説明】
【００２４】
【図１】（ａ）は本発明に係るキー構造を備えたキーの平面図、（ｂ）はその正面図である。
【図２】（ａ）は図１に示したキーの側面図、（ｂ）は図１（ａ）の背面図である。
【図３】（ａ）は変換用アダプターの斜視図、（ｂ）は係合凹部の形成されたキーの平面図である。
【図４】図３におけるＡ−Ａ断面図と装着前の変換用アダプターの側面図である。
【図５】本発明に係るキー構造を備えたキーが使用されるシリンダー錠の断面図である。
【図６】鍵穴と本発明に係るキー構造を備えたキーとの位置関係を表した正面図である。
【発明を実施するための形態】
【００２５】
以下、本発明の実施の形態を図面を参照して説明する。
図１（ａ）は本発明に係るキー構造を備えたキーの平面図、（ｂ）はその正面図である。
本実施の形態に係るキー構造は、所謂合鍵がキーであり表裏面が対称形状であるリバーシブルキー１１となる。このリバーシブルキー１１は、変換用アダプター１３を着脱自在に備えることで、専用の変換キーを不要としている。つまり、合鍵と変換キーとが兼用できるようになっている。
【００２６】
リバーシブルキー１１は、挿入方向前方の鍵本体１５と、挿入方向後方の把持部１７とを連接してなる。鍵本体１５の側縁には鍵違いを形成するディンプル１９（図２参照）が形成される。把持部１７は、鍵本体１５の鍵基端２１に接続して鍵操作時に鍵穴２３（図６参照）よりも外側に出る。把持部１７と鍵本体１５との境にはショルダー部２５が形成される。ショルダー部２５は、シリンダー錠２７（図６参照）の鍵穴２３が開口する内筒２９の前端面３１に当接する。
【００２７】
図２（ａ）は図１に示したキー１１の側面図、（ｂ）は図１（ａ）の背面図、図３（ａ）は変換用アダプター１３の斜視図、（ｂ）は係合凹部３３の形成されたキー１１の平面図である。
リバーシブルキー１１は、鍵本体１５の表裏面に溝３５が回転対称位置で形成されている。本実施の形態では、一方の面３７と他方の面３９とのそれぞれに一対の溝３５が形成される。この溝３５はそれぞれが鍵違いを形成するために中途部分が複数箇所屈曲したもの、直線のもの等任意のものとすることができる。但し、図１（ｂ）に示した鍵先端部４１における少なくとも一対の溝３５の位置は回転対称位置となっている。なお、ここで、回転対称位置とはリバーシブルキー１１を回転中心に一定の角度、本実施の形態では１８０度だけ、別言すると、鍵本体１５の表裏面のどちらの面から見ても変わらない位置を言うもので、図１（ｂ）においては、左上と右下、右上と左下の各溝の位置である。
【００２８】
リバーシブルキー１１に変換機能を付与するための変換用アダプター１３は、杆部４３と、凸部４５と、係着部４７と、を有する。杆部４３は、一方の面３７の溝３５に収容され杆基端部４９が把持部１７に配置される。杆部４３の素材としては、真直性のある金属素材が好ましく、例えばピアノ線を好適に用いることができる。また、杆部４３は、溝３５に沿う屈曲した形、或いは近似した形に成形されたものであってもよく、所定の強度を有し溝３５内に納まるものであれば、合成樹脂やセラミックス等の非金属であってもよい。
【００２９】
凸部４５は、杆部４３の杆先端部５１に設けられるもので、本実施の形態では杆先端部５１を屈曲して形成され、溝３５への杆部４３の装着で鍵本体１５の鍵先端部４１よりも突出する。つまり、ショルダー部２５から凸部４５までの長さＬが変換キーとしての長さとなる。
【００３０】
凸部４５は、フック状に形成され、フック先端部５３が他方の面３９に係止、本実施の形態では他方の面３９の溝３５に係止される。一方の面３７の溝３５に装着された杆部４３のフック先端部５３が他方の面３９の溝３５に係止することで、コ字状に曲がった凸部中央部５５がリバーシブルキー１１の回転中心を通ることになる。また、フック先端部５３が他方の面３９の溝３５に係止することで、凸部４５が鍵本体１５の回転中心を通ることになり、凸部４５を略回転対称で且つ高強度に配設できる。
【００３１】
なお、凸部４５は、図２（ｂ）に示すように、他方の面３９の溝３５の進入開口部５７を塞がないようにしてフック先端部５３を係止する。つまり、タンブラピン５９（図６参照）が溝３５に進入するためキーウェイと干渉しないように配置される。なお、本キー構造では、変換用アダプター１３がリバーシブルキー１１に装着されることで、リバーシブルキー１１のリバーシブル使用はできなくなる場合もある。
【００３２】
変換用アダプター１３は、杆基端部４９に、係着部４７が設けられ、係着部４７が把持部１７に着脱自在となっている。例えばピアノ線等の線材からなる杆部４３に係着部４７が固定され、この係着部４７が把持部１７に着脱自在となることで、単体では把持しにくい杆部４３の取り扱いが容易となっている。つまり、この係着部４７を把持部１７に着脱自在とすることで、杆部４３をリバーシブルキー１１に対して容易に着脱できるようになっている。
【００３３】
係着部４７は、把持部１７とともに摘まれる。把持表面６１に係着部４７が装着されることで、係着部４７と把持部１７とが一体に、すなわち、杆部４３と凸部４５とが一体に操作可能となる。操作時には把持部１７に装着された係着部４７が摘まれるので、杆部４３の離脱を防止しながら、凸部４５による錠変換機構６３（図５参照）への操作入力を確実にできる。
【００３４】
把持部１７には、係着部４７と係合する係合凹部３３と、係合凹部３３と溝３５とを連通して杆部４３を収容する接続溝６５とが形成されている（図４参照）。係着部４７は、図２（ａ）に示すように、把持部１７の把持表面６１よりも突出し、且つ鍵先端部４１に向かって徐々に高くなる滑止面６７を有する。係着部４７は、滑止面６７を備えることで、把持部１７を掴んで鍵本体１５を鍵穴２３へ挿入し、さらに、奥の錠変換機構６３を押し回しする際の反力が確実に受け止められるようになっている。すなわち、リバーシブルキー１１とともに鍵本体１５に沿って鍵穴２３に挿入される杆部４３を介して、その先端の凸部４５を鍵穴２３外から係着部４７にて錠変換機構６３を操作するような状態である。
【００３５】
次に、上記構成を有するキー構造の作用を説明する。
図４は図３におけるＡ−Ａ断面図と装着前の変換用アダプターの側面図、図５は本発明に係るキー構造を備えたキー１１が使用されるシリンダー錠２７の断面図、図６は鍵穴２３と本発明に係るキー構造を備えたキー１１との位置関係を表した正面図である。
キー構造を有したリバーシブルキー１１は、図４に示すように、鍵本体１５の一方の面３７に形成された溝３５に、変換用アダプター１３の杆部４３が装着される。同時に、変換用アダプター１３は係着部４７が把持部１７に装着される。また、フック先端部５３が他方の面３９の溝３５に係止され、容易に外れてしまうことなく確実に装着となる。本実施の形態では、まずフック先端部５３側を鍵先端部４１の他方の面３９に掛けながら杆部４３を一方の面３７の溝３５に沿わせて装着し、そして鍵基端２１の接続溝６５に沿わせて係着部４７を把持部１７の係合凹部３３に嵌め、装着となる。
【００３６】
これにより、合鍵に後付けで組み付けることで全長の長い変換キーに仕様変更されることになる。変換キーに仕様変更されたリバーシブルキー１１は、図５に示したシリンダー錠２７の錠変換機構６３を作動させるためのクラッチ板６９を押すことができる。また、フック先端部５３が他方の面３９の溝３５に係止されていることで、操作中に偏芯などで杆部４３が溝３５から外れるようなこともなく、確実にクラッチ板６９を押すことが可能となる。さらに杆部４３の杆基端部４９側を把持した状態であり、脱落などの不具合が無い。
【００３７】
なお、シリンダー錠２７は、リバーシブルキー１１を挿入し、内筒２９を所定のセット回転角度範囲に回転することで、第１タンブラ７１と第２タンブラ７３との連結を解除し、その状態で、リバーシブルキー１１を抜去し、任意の専用キーを挿入して、施解錠操作回転範囲まで逆回転することにより、第１タンブラ７１と第２タンブラ７３とを、任意の専用キーに応じた異なる組合せ配置へ変更して連結することができる。これにより、キー変更が行われる。この結果、シリンダー錠２７を交換せずに、多大な費用を費やすことなく、鍵変更を可能にすることができる。また、錠変更は、新たに使用したいキーを鍵穴２３へ挿入するのみで可能となるので、変更作業を極めて容易に行うことができる。このことから、賃貸マンションなどにおいて、入居者が交替した場合に、旧入居者の使用していたキー（合鍵）を使用不能とすることが可能となる。なお、このシリンダー錠２７の詳細については、例えば本出願人が先に出願した特開２００７−２３６９２に開示されている。
【００３８】
変換用アダプター１３を装着したリバーシブルキー１１は、杆部４３が溝３５に収容され、係着部４７が把持部１７の係合凹部３３に装着されることで、変換用アダプター１３における鍵本体表裏面からの突出部分が係着部４７のみとなる。杆部４３と係着部４７とを接続する杆部部位（杆基端部４９）が接続溝６５に入り、鍵本体１５の表裏面から突出せず、見栄えをよくしている。また、このことは変換用アダプター１３の保持性も安定させている。
【００３９】
変換用アダプター１３を装着したリバーシブルキー１１は、係着部４７が把持表面６１から浮上する形状としたことで、係着部４７へ摘み力が容易に印加でき、把持部１７の操作性、係着部４７の保持性を高めている。
【００４０】
このように、キー構造では、リバーシブルキー１１の一方の面３７の溝３５に杆部４３が収容されると、杆先端部５１が凸部４５となって、鍵先端部４１から突出し、その突出分、鍵本体１５が長くなり、鍵穴２３の奥に設けられている通常時には操作されない錠変換機構６３が操作可能となる。凸部４５は、杆先端部５１を屈曲して形成され、凸部４５と一体の杆部４３が溝３５に装着されていることで、凸部４５のみ分離することがない。
【００４１】
したがって、上記実施の形態に係るキー構造によれば、変換キー等を別途必要とせず、またチップの紛失や脱落も防止できる。
【００４２】
なお、上記実施の形態では、キーとして表裏面にそれぞれ溝３５が形成されたリバーシブルキー１１について述べたが、表裏いずれか一方の面のみに溝を有するキーであっても、上述同様の杆部４３を備えた変換用アダプター１３を用いることで全長の長い変換キーに仕様変更が可能であり、その溝３５の形状についても、上記した通り鍵違いのための屈曲部分の有無に関わることなく、すなわち溝が屈曲する形状や挿入ガイドのための長手方向に真直に形成される構成であっても、上記同様の効果を得られるものである。
【００４３】
また、上記キーでは、表裏各面に一対の溝を有する構成であるが、溝は、１本であっても、或いは３本以上であっても良く、いずれかの溝に変換用アダプター１３が装着されることとすれば良い。
【００４４】
さらに、この溝はキー挿入時のガイドのためや鍵違いのためのものではなく、変換用アダプターを装着するために有し形成されることとしても良い。すなわち、杆部４３を収容するためにキーの面に溝が形成される構成でも良く、装着することでキーの全長が長くなり、且つ面から突出することがない。
【００４５】
また、上記したキーの形状は、溝３５で鍵違いを構成するとともに、縁部分にディンプル１９を備えるものであるが、キーの縁部分に山谷形状を形成して鍵違いとなるキーとしても、変換用アダプターを具備し、この変換用アダプターを装着するための溝を面に有する構成であれば、同様の効果を得られるもので、すなわち、キーの鍵違いを実現するための外形状は限定されるものではなく、キーの面に杆部が納まる溝を備えるものであれば、上記した本発明の効果が得られるものである。
【符号の説明】
【００４６】
１１…キー（リバーシブルキー）
１５…鍵本体
１７…把持部
２１…鍵基端
２３…鍵穴
３３…係合凹部
３５…溝
３７…一方の面
３９…他方の面
４１…鍵先端部
４３…杆部
４５…凸部
４７…係着部
４９…杆基端部
５１…杆先端部
５３…フック先端部
６１…把持表面
６５…接続溝
６７…滑止面
【図１】
2012144886.tif 000003
【図２】
2012144886.tif 000004
【図３】
2012144886.tif 000005
【図４】
2012144886.tif 000006
【図５】
2012144886.tif 000007
【図６】
2012144886.tif 000008